(57)【特許請求の範囲】
【請求項１】
粒状の内容物が収容されると共に、その内容物が取り出される取出孔が形成された容器本体と、
該容器本体に装着され、前記取出孔を開閉する蓋部材と、
前記内容物が格納され、前記容器本体内に着脱自在に配設されるカートリッジ体と、を備え、
前記容器本体は、少なくとも一方側の端部が開口した筒状に形成され、
前記カートリッジ体は、
前記容器本体の開口を閉塞する底壁部と、
前記内容物を格納すると共に、前記取出孔に連通する連通開口が形成された格納部と、を備え、
前記格納部には、前記連通開口における径方向の内側に向けて突出し、前記内容物の該連通開口を通した前記取出孔に向かう移動を規制する規制位置と、前記連通開口を開放して前記内容物の該連通開口を通した前記取出孔に向かう移動の規制を解除する解除位置と、の間で、反転変形可能とされた規制部材が配設され、
前記蓋部材には、前記規制部材を前記連通開口における径方向の外側に向けて反転変形させて、その位置を前記規制位置から前記解除位置に切り替える突片が配設され、
前記規制部材は、前記突片によって前記解除位置に反転変形後、前記解除位置に留まることを特徴とする粒状物用容器。
【請求項２】
請求項１に記載の粒状物用容器において、
前記取出孔は、前記容器本体の他方側の端部に形成され、
前記格納部は、前記底壁部から前記容器本体の他方の端部に向けて延在し、前記内容物を一列に並べた状態で格納可能とされ、
前記連通開口は、前記格納部における前記底壁部とは反対の先端部に形成されていることを特徴とする粒状物用容器。
【発明の詳細な説明】
【技術分野】
【０００１】
本発明は、粒状の内容物（タブレット等の清涼菓子等）を収容する粒状物用容器に関するものである。
【背景技術】
【０００２】
この種の容器として、内容物を収容する貯留部と内容物を取り出すための取出部とを有する容器本体と、この容器本体にスライド移動可能に組み合わされ、スライド移動により取出部を開閉する蓋体と、を備えた容器が知られている（特許文献１参照）。
この容器によれば、蓋体をスライド移動させることで取出部を開閉できるので、内容物の取り出し状態と保管状態との切替を容易に行える。
【先行技術文献】
【特許文献】
【０００３】
【特許文献１】特開２００７−２３８１７６号公報
【発明の概要】
【発明が解決しようとする課題】
【０００４】
しかしながら、上記した従来の容器では、内容物を容易に取り出すことができるものの、内容物の充填作業性については改善の余地があった。例えば、容器本体に対して蓋体を組み合わせた後の段階では、蓋体をスライド移動させただけでは貯留部を開放させることが難しい。そのため、予め貯留部に内容物を収容させておき、その後に容器本体と蓋体とを組み合わせる必要があった。また、このような構成であるので、内容物を再充填（リフィール）するといったことも難しかった。
【０００５】
本発明は、このような事情に鑑みてなされたものであって、その目的は、内容物の充填作業を容易に行うことができる粒状物用容器を提供することである。
【課題を解決するための手段】
【０００６】
上記の目的を達成するために、この発明は以下の手段を提供している。
（１）本発明に係る粒状物用容器は、粒状の内容物が収容されると共に、その内容物が取り出される取出孔が形成された容器本体と、該容器本体に装着され、前記取出孔を開閉する蓋部材と、前記内容物が格納され、前記容器本体内に着脱自在に配設されるカートリッジ体と、を備え、前記容器本体は、少なくとも一方側の端部が開口した筒状に形成され、前記カートリッジ体は、前記容器本体の開口を閉塞する底壁部と、前記内容物を格納すると共に、前記取出孔に連通する連通開口が形成された格納部と、を備え、前記格納部には、前記連通開口における径方向の内側に向けて突出し、前記内容物の該連通開口を通した前記取出孔に向かう移動を規制する規制位置と、前記連通開口を開放して前記内容物の該連通開口を通した前記取出孔に向かう移動の規制を解除する解除位置と、の間で、反転変形可能とされた規制部材が配設され、前記蓋部材には、前記規制部材を前記連通開口における径方向の外側に向けて反転変形させて、その位置を前記規制位置から前記解除位置に切り替える突片が配設され、前記規制部材は、前記突片によって前記解除位置に反転変形後、前記解除位置に留まることを特徴とする。
【０００７】
本発明に係る粒状物用容器によれば、内容物の充填を行う場合、まずカートリッジ体における格納部内に内容物を格納させた後、容器本体の開口した部分からこのカートリッジ体を容器本体内に組み入れる。これにより、カートリッジ体の底壁部が容器本体の開口を閉塞すると共に、カートリッジ体の連通開口と容器本体の取出孔とが連通した状態となる。このとき、規制部材が規制位置に位置しているので、格納されている内容物が連通開口を通して取出孔から零れてしまう等の不具合が生じ難い。
【０００８】
次いで、蓋部材を閉じて取出孔を閉塞させた状態で、カートリッジ体を容器本体内に組み入れると、この蓋部材に配設された突片が規制部材を連通開口における径方向の外側に向けて反転変形させて、その位置を規制位置から解除位置に切り替える。これにより、内容物の連通開口を通した取出孔に向かう移動の規制が解除され、内容物が取り出し可能な状態となる。つまり、カートリッジ体を蓋部材が閉じられた容器本体内に組み入れる操作を行うだけで、規制部材を解除位置に切り替える操作を同時に行うことができ、内容物を取り出し可能にすることができる。これにより、容器本体内への内容物の充填作業が完了する。
なお、蓋部材を開放した状態でカートリッジ体を容器本体内に組み入れた後、蓋部材を閉じることで規制部材を解除位置に反転させても良い。
【０００９】
特に、内容物を格納部内に格納させたカートリッジ体を蓋部材が閉じられた容器本体内に組み入れるだけの簡便な作業を行うだけで、容易に内容物の充填作業を行うことができるので使い易い。しかも、蓋部材が閉じられているため、組み入れ操作の間、内容物が格納部から零れてしまう等の不具合が生じ難い。従って、内容物を気にすることなく充填作業を行うことができ、この点においても使い易い。
【００１０】
（２）上記本発明に係る粒状物用容器において、前記取出孔は、前記容器本体の他方側の端部に形成され、前記格納部は、前記底壁部から前記容器本体の他方の端部に向けて延在し、前記内容物を一列に並べた状態で格納可能とされ、前記連通開口は、前記格納部における前記底壁部とは反対の先端部に形成されていることが好ましい。
【００１１】
この場合には、内容物を一列に並べた状態で格納できるので、例えば内容物を所定数、格納させ易い。また、取出孔を通して内容物を１つずつより確実且つスムーズに取り出すことが可能となる。
【発明の効果】
【００１２】
本発明に係る粒状物用容器によれば、内容物を格納部内に格納させたカートリッジ体を容器本体内に組み入れるだけの簡便な作業を行うだけで、容易に内容物の充填作業を行うことができる。
【図面の簡単な説明】
【００１３】
【図１】本発明に係る粒状物用容器の実施形態を示す縦半断面図である。
【図２】図１に示す状態から、蓋部材を開けて取出孔を開放させた状態を示す縦半断面図である。
【図３】図２に示すＡ−Ａ線に沿った縦半断面図である。
【図４】図１に示すＢ−Ｂ線に沿った横半断面図である。
【図５】図１に示すカートリッジ体の縦半断面図である。
【図６】図５に示すカートリッジ体の上方図である。
【図７】図５に示すカートリッジ体の部分拡大斜視図である。
【図８】図５に示すカートリッジ体を、蓋部材が開いた状態の容器本体内に挿入した場合における直後の縦半断面図である。
【図９】図８に示すＣ−Ｃ線に沿った横半断面図である。
【発明を実施するための形態】
【００１４】
以下、本発明に係る粒状物用容器の実施形態について図面を参照して説明する。
（粒状物用容器の構成）
図１〜図４に示すように、本実施形態の粒状物用容器１は、粒状の内容物Ｗが収容されると共に、その内容物Ｗが取り出される取出孔２ａが形成された筒状の容器本体２と、この容器本体２に装着され、取出孔２ａを開閉する蓋部材３と、内容物Ｗが格納され、容器本体２内に着脱自在に配設されるカートリッジ体４と、を備えている。
【００１５】
なお、本実施形態では、容器本体２の横断面における中央を通る軸を中心軸Ｏといい、この中心軸Ｏに沿ってカートリッジ体４の底壁部２０側から蓋部材３側に向かう方向を上側、その逆向きを下側という。また、中心軸Ｏに直交する方向を径方向といい、中心軸Ｏを周回する方向を周方向という。
また、本実施形態では、内容物Ｗとしてタブレット状（錠剤状）のもの（例えば清涼菓子や薬剤、サプリメント等）を例にしている。
【００１６】
上記容器本体２は、上端部及び下端部が共に開口した横断面視略楕円状の筒体とされている。具体的には、径方向のうちの一方向に長く、且つ径方向のうちの該一方向に直交する他方向に短い横断面視略楕円状に形成されている。以下、上記一方向を左右方向Ｌ１といい、上記他方向を前後方向Ｌ２という。
そして、容器本体２の下方に開口した部分がカートリッジ体４を組み入れるための挿入孔２ｂとして機能し、容器本体２の上方に開口した部分が上記取出孔２ａとして機能する。なお、本実施形態の取出孔２ａは、後述するカートリッジ体４の格納部２１に対応して左右方向Ｌ１に並んで一対設けられ、その形状は左右方向Ｌ１に横長な平面視略楕円状とされている。
【００１７】
この容器本体２は、前後方向Ｌ２に向かい合う一対の長壁部１０ａと、左右方向Ｌ１に向かい合う一対の短壁部１０ｂと、を備えている。図示の例では、長壁部１０ａが平坦形状で、且つ短壁部１０ｂが半円形状とされている。これによって、容器本体２は上記したように横長の横断面視略楕円状に形成されている。
また、容器本体２の上端部には、左右方向Ｌ１の中央において前後方向Ｌ２に延びるブリッジ部１０ｃが一対の長壁部１０ａ同士を連結するように設けられている。このブリッジ部１０ｃによって、上記したように左右方向Ｌ１に並ぶ一対の取出孔２ａが区画されている。更に、容器本体２における一対の長壁部１０ａのうちの一方の上端開口縁には、上方に向けて凸条部１０ｄが突設されている。
【００１８】
上記蓋部材３は、一対の取出孔２ａに対応して一対設けられ、容器本体２の上端開口縁に左右方向Ｌ１に並んだ状態で配設されている。具体的には、各蓋部材３は、上記した凸条部１０ｄ（容器本体２の上端縁）にヒンジ部１５を介して連結されており、このヒンジ部１５を中心とした回動操作によって取出孔２ａをそれぞれ開閉可能とされている。蓋部材３の厚みは、凸条部１０ｄの突出量と略同等とされている。
また、蓋部材３には、取出孔２ａ及びブリッジ部１０ｃの内側に嵌合される環状の嵌合壁１６が突設されている。これにより、蓋部材３が不意に開放されてしまうことを防止することが可能とされている。
【００１９】
上記カートリッジ体４は、容器本体２の挿入孔２ｂを閉塞する底壁部２０と、該底壁部２０から上方に向かって延在し、容器本体２の挿入孔２ｂを通して下方向から該容器本体２内に挿入可能とされた格納部２１と、を備えている。
図１、図５及び図６に示すように、底壁部２０は、容器本体２と略同サイズの横断面視略楕円状に形成され、格納部２１を容器本体２内に挿入した際に、容器本体２の下端縁に当接可能とされている。これにより、カートリッジ体４全体の容器本体２内への挿入量が規制され、格納部２１の上端部が蓋部材３の嵌合壁１６の下方に位置することが可能とされる。
なお、カートリッジ体４の底壁部２０は粒状物用容器１としての底部をなしている。
【００２０】
格納部２１は、底壁部２０上に立設されて上方に開口する筒体であり、前後方向Ｌ２に向かい合う一対の長壁部２１ａと、左右方向Ｌ１に向かい合う一対の短壁部２１ｂと、で横断面視略楕円状に形成されている。
一対の長壁部２１ａは、図４に示すように、容器本体２における一対の長壁部１０ａに対して前後方向Ｌ２の内側で向かい合う壁部であり、該長壁部１０ａに対応して平坦形状に形成されている。同様に、一対の短壁部２１ｂは、容器本体２における一対の短壁部１０ｂに対して左右方向Ｌ１の内側で向かい合う壁部であり、該短壁部１０ｂに対応して半円形状に形成されている。
【００２１】
また、格納部２１内には、図５及び図６に示すように、内部空間を左右方向Ｌ１に区画する区画壁２１ｃが中心軸Ｏと同軸に配設されている。この区画壁２１ｃは、上下方向Ｌ３に延在しており、一対の長壁部２１ａ同士を左右方向Ｌ１の中央部分において、上下方向Ｌ３の全体に亘って連結している。この区画壁２１ｃによって格納部２１内には、該区画壁２１ｃを挟んで左右方向Ｌ１に一対の格納空間Ｓ（図５参照）が画成されている。そして、これら各格納空間Ｓ内に内容物Ｗを上下方向Ｌ３に一列に並べた状態で格納することが可能とされている。
【００２２】
また、格納部２１における上方に開口した部分のうち、格納空間Ｓに連通する部分は、容器本体２の取出孔２ａに連通する連通開口２５として機能する。
また、格納部２１における一対の短壁部２１ｂには、左右方向Ｌ１の外側に向けて突設され、容器本体２に形成された第１突起２６（図１参照）に係合する第２突起２７が設けられている。この第２突起２７は、格納部２１の下部に位置し、周方向に沿って延在している。
更に、格納部２１における一対の長壁部２１ａには、上方に開口した側面視四角形状の切欠き部２８が前後方向Ｌ２に向かい合うように形成されている。これにより、これら切欠き部２８を通して、各格納空間Ｓに格納された内容物Ｗを外部から視認することが可能とされている。但し、この切欠き部２８は、必須なものではなく、具備しなくても構わない。
【００２３】
ところで、図５〜図７に示すように、格納部２１における一対の短壁部２１ｂの上端部には開口部３０が形成されていると共に、左右方向Ｌ１に反転変形可能な規制部材３１が開口部３０内に配置された状態で設けられている。
この規制部材３１は、周方向に沿って延在した帯状片であり、周方向両端部が開口部３０の開口端に連結されている。そして、規制部材３１は、その連結部分を起点として、反転変形可能とされている。具体的には、連通開口２５側に突出し、内容物Ｗの連通開口２５を通した取出孔２ａに向かう移動を規制する規制位置Ｐ１と、連通開口２５を開放してその規制を解除する解除位置Ｐ２と、の間で反転変形可能とされている。
【００２４】
そして、上述した蓋部材３には、図１〜図３に示すように、上記規制部材３１を左右方向Ｌ１の外側に向けて反転変形させて、その位置を上記規制位置Ｐ１から上記解除位置Ｐ２に切り替える突片４０が設けられている。この突片４０は、嵌合壁１６の内側に位置しており、左右方向Ｌ１の外側に向く面が湾曲した平面視Ｄ形状に形成されている。
そして、この突片４０は、蓋部材３が閉じられた容器本体２にカートリッジ体４を組み入れる操作、或いは蓋部材３を閉める操作に伴って規制部材３１を押圧することで、上記反転変形を可能とさせている。
【００２５】
（粒状物用容器の作用）
次に、上述したように構成された粒状物用容器１において、内容物Ｗを充填する場合について説明する。
【００２６】
この充填を行う場合には、まずカートリッジ体４における格納部２１内に内容物Ｗを格納させる。即ち、図５に示すように、連通開口２５を通して２つの格納空間Ｓ内に内容物Ｗを順次投入して格納させる。これにより、２つの格納空間Ｓ内に、内容物Ｗを上下方向Ｌ３に一列に並べた状態で、所定数分、格納することができる。この際、切欠き部２８を通じて内容物Ｗの格納状態を視認できるので、確実な格納作業を行うことができる。
なお、内容物Ｗの格納後、規制部材３１を反転変形させて規制位置Ｐ１に位置させる。
【００２７】
次いで、内容物Ｗが格納されたカートリッジ体４を、図１に示すように、蓋部材３が閉じられた容器本体２の下方から挿入孔２ｂを通じて該容器本体２内に挿入し、カートリッジ体４の底壁部２０を容器本体２の下端に当接させる。これにより、カートリッジ体４の格納部２１を容器本体２内に組み入れることができる。また、この組み入れによって、カートリッジ体４の底壁部２０が容器本体２の挿入孔２ｂを閉塞すると共に、カートリッジ体４の連通開口２５と容器本体２の取出孔２ａとが互いに連通した状態となる。
また、容器本体２側の第１突起２６とカートリッジ体４側の第２突起２７とが係合するので、カートリッジ体４が容器本体２から抜け落ちてしまうことを防止できる。
【００２８】
ところで、上記組み入れの際、蓋部材３に設けられた突片４０がカートリッジ体４の連通開口２５内に挿入されると共に、規制部材３１を左右方向Ｌ１の外側に向けて押圧して反転変形させる。これにより、規制部材３１の位置を規制位置Ｐ１から解除位置Ｐ２に切り替えることができる。
【００２９】
従って、内容物Ｗの連通開口２５を通した取出孔２ａに向かう移動の規制が解除され、内容物Ｗが取り出し可能となる。つまり、カートリッジ体４を容器本体２内に組み入れる操作を行うだけで、規制部材３１を解除位置Ｐ２に切り替える操作を同時に行うことができ、内容物Ｗを取り出し可能にすることができる。これにより、容器本体２への内容物Ｗの充填作業が完了する。
【００３０】
そして、これ以降、図２に示すように、蓋部材３を開けて取出孔２ａを開放させた後、例えば容器本体２を傾ける又は上下逆向きにすることで、連通開口２５及び取出孔２ａを通して内容物Ｗを１つずつ取り出すことができる。
【００３１】
このように、本実施形態の粒状物用容器１によれば、内容物Ｗを格納部２１内に格納させたカートリッジ体４を容器本体２内に組み入れるだけの簡便な作業を行うだけで、容易に内容物Ｗの充填作業を行うことができるので使い易い。
しかも、組み入れ作業の間、蓋部材３が閉じられており、組み入れの最終段階まで規制部材３１が規制位置Ｐ１に位置しているので、内容物Ｗが格納部２１から零れてしまう等の不具合が生じ難い。従って、内容物Ｗを気にすることなく充填作業を行うことができ、この点においても使い易い。
【００３２】
なお、上記実施形態では、蓋部材３が閉じられた容器本体２内にカートリッジ体４を組み入れたが、例えば蓋部材３が開いた状態の容器本体２内にカートリッジ体４を組み入れ、その後に蓋部材３を閉じても構わない。
【００３３】
この場合には、容器本体２内にカートリッジ体４を組み入れると、図８及び図９に示す状態となる。この場合であっても、規制部材３１が規制位置Ｐ１に位置しているので、カートリッジ体４に格納されている内容物Ｗが連通開口２５を通して取出孔２ａから零れてしまう等の不具合が生じ難い。そして、カートリッジ体４を組み入れた後、図１に示すように蓋部材３を閉じ、容器本体２の取出孔２ａを閉塞させる。すると、この蓋部材３に設けられた突片４０が取出孔２ａ内、及びカートリッジ体４の連通開口２５内に挿入されると共に、規制部材３１を左右方向Ｌ１の外側に向けて押圧して反転変形させる。これにより、規制部材３１の位置を規制位置Ｐ１から解除位置Ｐ２に切り替えることができる。
従って、この場合であっても、同様の作用効果を奏効することができる。
【００３４】
なお、本発明の技術範囲は、上記実施形態に限定されるものではなく、本発明の趣旨を逸脱しない範囲において、種々の変更を加えることが可能である。
【００３５】
例えば、上記実施形態では、カートリッジ体４に２つの格納空間Ｓを形成してそれぞれに内容物Ｗを一列に並ばせた状態で格納し、それに応じて取出孔２ａ及び蓋部材３を２つ設けた構成としたが、格納空間Ｓ、取出孔２ａ及び蓋部材３は１つでも構わないし、３つ以上設けても構わない。
また、内容物Ｗを上下方向Ｌ３に一列に並ぶように格納させたが、この場合に限定されるものではなく、単に格納されていれば良い。
【００３６】
また、ヒンジ部１５を介して蓋部材３を容器本体２に連結し、蓋部材３を回動操作することで取出孔２ａを開閉させたが、蓋部材３に対してスライド移動自在に蓋部材３を設け、スライド移動によって取出孔２ａを開閉させても構わない。
【００３７】
また、上記実施形態では、タブレット状（錠剤状）の内容物Ｗとしたが、粒状であれば良い。例えば丸薬、カプセル剤、粒ガム等が挙げられる。
【符号の説明】
【００３８】
Ｐ１…規制位置
Ｐ２…解除位置
１…粒状物用容器
２…容器本体
２ａ…取出孔
３…蓋部材
４…カートリッジ体
２０…カートリッジ体の底壁部
２１…カートリッジ体の格納部
２５…連通開口
４０…突片
【図１】
0005802546.tif 000002
【図２】
0005802546.tif 000003
【図３】
0005802546.tif 000004
【図４】
0005802546.tif 000005
【図５】
0005802546.tif 000006
【図６】
0005802546.tif 000007
【図７】
0005802546.tif 000008
【図８】
0005802546.tif 000009
【図９】
0005802546.tif 000010